(57)【要約】【課題】太陽電池で発電された電力の利用効率を高めた太陽光発電利用システムを提供する。【解決手段】太陽光発電利用システム１０は、交流電源Ｓと負荷Ｍとの間の電力変換装置１２、太陽光を受けて発電する太陽電池ＳＣ、太陽電池ＳＣで発電された電力を蓄電する電気二重層コンデンサＥＤＬＣ、電力変換装置１２に電力を供給するための昇圧ユニット１４、太陽電池ＳＣで発電された電力の蓄電または放電を切り換える切換手段１６、昇圧ユニット１４と電力変換装置１２の間の直流電流検出部１８、負荷Ｍに流れる交流電流を検出する交流電流検出部２０、および切換手段１８の切り換えを制御する制御部２２を備える。【選択図】図１
2016082703.tif 000002
【特許請求の範囲】
【請求項１】
交流電源と負荷との間に配置され、コンバータ、インバータ、およびコンバータとインバータの間の直流リンクを備えた電力変換装置と、
太陽光を受けて発電する太陽電池と、
前記太陽電池で発電された電力を充電する電気二重層コンデンサと、
前記太陽電池および電気二重層コンデンサの電力を昇圧して前記直流リンクに電力を供給する昇圧ユニットと、
前記太陽電池から電気二重層コンデンサへの充電または太陽電池および電気二重層コンデンサの電力の放電を切り換える切換手段と、
前記昇圧ユニットと直流リンクの間で直流電流を検出する直流電流検出部と、
前記負荷に流れる交流電流を検出する交流電流検出部と、
前記検出された直流電流の値および交流電流の値によって切換手段の切り換えを制御する制御部と、
を備えた太陽光発電利用システム。
【請求項２】
前記負荷の電力が昇圧ユニットの出力電力未満になると昇圧ユニットがトリップし、前記直流電流の値が０の場合に、昇圧ユニットの再起動が繰り返される請求項１の太陽光発電利用システム。
【請求項３】
前記昇圧ユニットの再起動は、切換手段の充電と放電を切り換えることでおこなう請求項２の太陽光発電利用システム。
【請求項４】
前記制御部は、交流電流の値から負荷の消費電力を求め、負荷の消費電力が昇圧ユニットの定格電力以上の場合に切換手段を放電にし、昇圧ユニットが起動する請求項１から３のいずれかの太陽光発電利用システム。
【請求項５】
前記昇圧ユニットがトリップしたときに、昇圧ユニットが再起動するためのタイマーを備えた請求項１から４のいずれかの太陽光発電利用システム。
【発明の詳細な説明】
【技術分野】
【０００１】
本発明は、負荷に電力を直流で供給する太陽光発電利用システムに関するものである。
【背景技術】
【０００２】
従来、空気調和機の負荷である圧縮機内のモータを駆動させるために、交流電源（商用電力系統）から電力変換装置を介してモータに電力を供給している。また、太陽光発電ユニットを設置する企業や家庭が増加しており、再生可能エネルギーの利用が進んでいる。太陽光発電ユニットに搭載された太陽電池の発電エネルギーは直流なので、直流のまま太陽光発電ユニットの出力を電力変換装置の直流部（直流リンク）に給電することで、電力アシストが可能になる。
【０００３】
太陽光発電ユニットに搭載された太陽電池の発電電力を空気調和機へ直流でアシストする場合、従来の商用電力系統を経由しての交流アシスト（直流→交流→直流）に比較して、通過する電力変換装置が少なくて済み、より多くの太陽電池の発電エネルギーを負荷へ供給することができる。
【０００４】
負荷に直流で電力アシストできる太陽光発電利用システムの一例を図３に示す。太陽光発電利用システム１００は、交流電源Ｓと負荷Ｍとの間に配置され、コンバータ２４、インバータ２６、およびコンバータ２４とインバータ２６の間の直流リンク２８を備えた電力変換装置１２、太陽光を受けて発電する太陽電池ＳＣ、太陽電池ＳＣの発電電力を昇圧して直流リンク２８に電力を供給する昇圧ユニット１４を備える。
【０００５】
負荷Ｍが空気調和機の圧縮機モータであれば、空調負荷変動に応じてモータの消費電力（負荷電力）は大きく変化し、空調負荷が小さい時は圧縮機のモータは停止状態（無負荷）となる。その際、太陽電池ＳＣで発電された電力を消費する負荷Ｍはゼロなので、太陽電池ＳＣの発電エネルギーを全く供給（活用）することができないという課題がある。この課題に対応するために図３の太陽光発電利用システム１００は、太陽電池ＳＣの発電電力を蓄電するための電気二重層コンデンサＥＤＬＣを付加している。
【０００６】
太陽電池ＳＣの発電電力に対して負荷Ｍが小さい時（負荷ゼロ時も）は、太陽電池ＳＣで発電された電力は電気二重層コンデンサＥＤＬＣに充電し、負荷Ｍが大きく電力アシストが可能なときに昇圧ユニット１４から直流リンク２８に太陽電池ＳＣと電気二重層コンデンサＥＤＬＣから出力される電力を供給している。
【０００７】
電気二重層コンデンサＥＤＬＣを付加した上記のような太陽光発電利用システム１００は、太陽電池ＳＣの発電電力を電気二重層コンデンサＥＤＬＣへ充電したり、負荷Ｍへ放電をおこなうために、切換手段１６、交流電流検出部２０および制御部１０２を備える。
【０００８】
交流電流検出部２０が負荷Ｍに流れる電流を検出し、制御部１０２がその電流値に基づいて電力値に変換し、電力値によって切換手段１６を切り換える。この切り換えについて図４を使用して説明する。図４では、太陽電池ＳＣが定格電力(たとえば１ｋＷ)を安定して出力し、昇圧ユニット１４も定格電力（たとえば１ｋＷ）で出力できる状態であるとする。
【０００９】
図４に示すように、太陽光発電利用システム１００の初期状態（負荷ゼロ）では切換手段１６を充電側にしておき、昇圧ユニット１４の入力はオープン状態となっているが、負荷Ｍの消費電力が昇圧ユニット１４の定格電力（１ｋｗ）以上になれば、切換手段１６を放電にする(時間ｔ１、ｔ９)。切換手段１６が放電側になると昇圧ユニット１４が起動し、直流リンク２８に電力が供給される。一方、負荷Ｍが太陽光発電利用システム１００の出力よりも低くなると、電力アシストを停止し（時間ｔ２、ｔ７）、軽負荷状態検出（たとえば０．２５ｋＷ以下）で切換手段１６を放電から充電に切り換える（時間ｔ８）。
【００１０】
昇圧ユニット１４は、負荷Ｍの消費電力が昇圧ユニット１４の出力電力よりも高いときに、直流リンク２８に電力供給できるが、負荷Ｍの消費電力が昇圧ユニット１４の出力電力よりも低くなるとトリップ（昇圧動作を中断）する（時間ｔ２、ｔ７）。これは、昇圧ユニット１４からアシストする電力が負荷Ｍの消費電力よりも高くなると直流リンク２８の電圧が上昇し、昇圧ユニット１４の過電圧保護機能が動作するためである。
【００１１】
昇圧ユニット１４は、トリップ等の保護機能が働いた後に、自動復帰するためのタイマーを備えており、例えばトリップした後、タイマーで設定された時間になると自動復帰（昇圧ユニット１４は再起動）する。図４の場合、昇圧ユニット１４は、時間ｔ２でトリップしてタイマーが起動しているが、時間ｔ６で自動復帰する。
【００１２】
図４に示すように、昇圧ユニット１４がトリップした後、時間ｔ３とｔ５で負荷Ｍの消費電力が太陽光発電利用システム１００よりも高くなっているが、時間ｔ３からｔ４と時間ｔ５からｔ６の間、昇圧ユニット１４は起動できず、太陽電池ＳＣの発電電力をアシストできない。すなわち太陽電池ＳＣで発電された電力が、アシストが必要なときに利用されず、年間を通しての太陽光発電利用システム１００における太陽電池ＳＣの発電電力の利用効率を低下させる要因になる。
【００１３】
本来アシスト可能な条件下においてアシストできないのは、昇圧ユニット１４の保護機能が働いた後の自動復帰させるタイマーが動作し、昇圧ユニット１４が待機状態になることが原因であるが、昇圧ユニット１４は無人運転が前提の装置であり、保護機能が動作して待機状態となってもユーザや管理者はこのことを認識することはできず、ユーザ側から待機状態を解除することもできないので、自動解除のためのタイマー機能は必須機能である。
【００１４】
一方、下記の特許文献１に太陽電池の発電電力を電気二重層コンデンサに蓄電し、ＤＣ／ＤＣコンバータを介して出力する装置が開示されている。しかし、ＤＣ／ＤＣコンバータの詳細仕様や負荷変動時の制御仕様については開示されておらず、太陽電池の出力電力が負荷電力を上回った場合、上記同様の問題（電力利用効率の低下）が生じることになる。
【先行技術文献】
【特許文献】
【００１５】
【特許文献１】特開２００２−２７２０１５号公報
【発明の概要】
【発明が解決しようとする課題】
【００１６】
本発明は、太陽電池で発電された電力の利用効率を高めた太陽光発電利用システムを提供することを目的とする。
【課題を解決するための手段】
【００１７】
本発明の太陽光発電利用システムは、交流電源と負荷との間に配置され、コンバータ、インバータ、およびコンバータとインバータの間の直流リンクを備えた電力変換装置と、太陽光を受けて発電する太陽電池と、前記太陽電池で発電された電力を充電する電気二重層コンデンサと、前記太陽電池および電気二重層コンデンサの電力を昇圧して前記直流リンクに電力を供給する昇圧ユニットと、前記太陽電池から電気二重層コンデンサへの充電または太陽電池および電気二重層コンデンサの電力の放電を切り換える切換手段と、前記昇圧ユニットと直流リンクの間で直流電流を検出する直流電流検出部と、前記負荷に流れる交流電流を検出する交流電流検出部と、前記検出された直流電流の値および交流電流の値によって切換手段の切り換えを制御する制御部とを備える。
【００１８】
交流電源の電力は電力変換装置を介して負荷に供給される。太陽電池で発電された電力は、昇圧ユニットを介して電力変換装置の直流リンクに供給されるか、電気二重層コンデンサに充電される。放電と充電の切り換えは、切換手段で行う。制御手段が直流電流検出部と交流電流検出部で検出された値を使用して、切換手段を制御する。
【００１９】
前記負荷の消費電力が昇圧ユニットの出力電力未満になると昇圧ユニットがトリップし、前記直流電流の値が０の場合に、昇圧ユニットの再起動が繰り返される。
【００２０】
前記昇圧ユニットの再起動は、切換手段の充電と放電を切り換えることでおこなう。切換手段を充電にすることで、昇圧ユニットの制御用電源が供給されなくなるので、昇圧ユニットを初期化して保護機能検出状態の解除と自動復帰用タイマーのリセットができる。
【００２１】
前記制御部は、交流電流の値から負荷の消費電力を求め、負荷の消費電力が昇圧ユニットの定格電力以上の場合に切換手段を放電にし、昇圧ユニットが起動する。
【００２２】
前記昇圧ユニットがトリップしたときに、昇圧ユニットが再起動するためのタイマーを備える。
【発明の効果】
【００２３】
本発明は、昇圧ユニットがトリップし一定時間の待機状態となっても、負荷の消費電力が昇圧ユニットからアシストできる電力よりも高くなれば、すぐに昇圧ユニットから電力アシストを再開できる。従って一般的に幅広く普及している昇圧ユニットを活用しつつ、太陽電池で発電された電力の利用効率を上げることができる。
【図面の簡単な説明】
【００２４】
【図１】本願の太陽光発電利用システムの回路構成を示すブロック図である。
【図２】図１の回路におけるタイミングチャートである。
【図３】従来の太陽光発電利用システムの回路構成を示すブロック図である。
【図４】図３の回路におけるタイミングチャートである。
【発明を実施するための形態】
【００２５】
本発明の太陽光発電利用システムについて図面を用いて説明する。
【００２６】
図１に示す本願の太陽光発電利用システム１０は、交流電源Ｓと負荷Ｍとの間の電力変換装置１２、太陽光を受けて発電する太陽電池ＳＣ、太陽電池ＳＣで発電された電力を蓄電する電気二重層コンデンサＥＤＬＣ、電力変換装置１２に電力を供給するための昇圧ユニット１４、太陽電池ＳＣで発電された電力の蓄電または放電を切り換える切換手段１６、昇圧ユニット１４と電力変換装置１２の間の直流電流検出部１８、負荷Ｍに流れる交流電流を検出する交流電流検出部２０、および切換手段１８の切り換えを制御する制御部２２を備える。
【００２７】
交流電源Ｓは商用の電力系統を含む。交流電源Ｓから電力変換装置１２に電力が供給され、電力変換装置１２が駆動する。また本願を空気調和機に適用すれば、負荷Ｍは室外機の圧縮機内蔵三相交流モータになる。
【００２８】
電力変換装置１２は、コンバータ２４、インバータ２６、およびコンバータ２４とインバータ２６の間の直流リンク２８を備える。コンバータ２４はダイオードブリッジなどの回路であり、交流電源Ｓから入力された交流電力を直流電力に変換する。インバータ２６は、ＩＧＢＴ（Insulated Gate Bipolar Transistor）などのスイッチング用パワー素子（トランジスタ）を複数備え、それらをオン・オフすることで、直流電力を交流電力に変換するものである。直流リンク２８はコンバータ２４の出力を受ける回路であり、平滑コンデンサやスナバ回路などを設けることができる。
【００２９】
複数の太陽電池ＳＣを接続した複数の太陽電池アレイ、太陽電池アレイから直流電力を出力するためのＤＣ／ＤＣコンバータを備えることで太陽光発電ユニットになる。各太陽電池アレイは直流電力を出力する過程（ＤＣ／ＤＣコンバータ）でＭＰＰＴ（Maximum Power Point Tracking）制御される。
【００３０】
電気二重層コンデンサＥＤＬＣは、電力変換装置１２に電力をアシストできないときに、太陽電池ＳＣで発電された電力が充電される。電力アシスト可能なときは、電気二重層コンデンサＥＤＬＣに蓄電された電力を放電する。
【００３１】
昇圧ユニット１４は、入力電圧を所定電圧に昇圧し、電力変換装置１２に電力供給するための回路である。昇圧ユニット１４は、太陽電池ＳＣから直接電力が供給されるか、電気二重層コンデンサＥＤＬＣの電力が供給されるか、または両方から同時に電力が供給される。昇圧ユニット１４の出力は電力変換装置１２の直流リンク２８に接続される。
【００３２】
昇圧ユニット１４の入力に太陽電池ＳＣ、電気二重層コンデンサＥＤＬＣ、またはその両方からの電力が供給されると、昇圧ユニット１４内の制御用電源が供給されて昇圧ユニット１４が起動（昇圧出力を開始）する。この時負荷Ｍの消費電力が昇圧ユニット１４の出力電力以上であれば、昇圧ユニット１４から直流リンク２８に電力を供給してアシストを開始する。また昇圧ユニット１４の起動後に、負荷Ｍの消費電力が昇圧ユニット１４の出力電力未満になれば、昇圧ユニット１４はトリップ（動作の中断）するが、昇圧ユニット１４は過電圧検知機能を備えており、直流リンク２８の過電圧を検知すると昇圧動作を中断して待機状態になるためである。
【００３３】
昇圧ユニット１４は異常検出状態を自動復帰させるためのタイマーを備えており、トリップするとタイマーが起動する。タイマーが起動すると、タイマーで設定された待機時間後に昇圧ユニット１４が自動復帰されるようになっている。
【００３４】
本願では、昇圧ユニット１４がトリップし待機状態になっても、再びアシスト可能な条件（太陽光発電ユニット出力＜負荷Ｍの消費電力）が成立すれば、昇圧ユニット１４をリセット（初期化）させる。初期化するとタイマーもリセットされ、待機状態は解除される。このためトリップして待機状態になっても、タイマーで設定された時間になる前に負荷Ｍの消費電力が昇圧ユニット１４で出力できる電力よりも高くなれば、この時点で昇圧ユニット１４を再起動することができる。
【００３５】
切換手段１６は、太陽電池ＳＣで発電された電力の充電と放電を切り換える回路である。充電を選択すれば電気二重層コンデンサＥＤＬＣに接続され、放電を選択すれば昇圧ユニットに接続される。切換手段１６は、直流電路切換用のリレーを使用することができる。また、トランジスタなどのスイッチング素子によって、同等の回路を構成しても良い。
【００３６】
切換手段１６と並列にダイオードＤが接続されている。ダイオードＤは、アノードが電気二重層コンデンサＥＤＬＣに接続され、カソードが太陽電池ＳＣに接続される。切換手段１６で放電を選択したときに、電気二重層コンデンサＥＤＬＣに蓄電された電力がダイオードＤおよび切換手段１６を介して昇圧ユニット１４に供給される。
【００３７】
直流電流検出部１８は、昇圧ユニット１４の出力側において、電流を検出する。直流検出部１８は、直流カレント・トランス（ＤＣＣＴ）を使用することができる。検出された値は制御部２２に入力される。
【００３８】
交流電流検出部２０は、インバータ２６と負荷Ｍとの間において、電流を検出する。交流電流検出部２０は、交流カレント・トランス（ＡＣＣＴ）を使用することができる。検出された値は制御部２２に入力される。
【００３９】
制御部２２は、切換手段１６の切り換えをおこなうための回路である。制御部２２による切換手段１６の切り換えは後述する。切り換えをおこなうために、制御部２２は、直流電流検出部１８で検出された電流値を増幅する増幅部３０、交流電流検出部２０で検出された電流値を増幅し、直流化する増幅直流変換部３２、第１および第２コンパレータ３４、３６、および切換手段１６を制御するドライバ３８を備える。
【００４０】
第１および第２コンパレータ３４、３６は、それぞれ増幅部３０および増幅直流変換部３２の出力を受け、その出力に応じたオン・オフの信号をドライバ３８に出力する。第１および第２コンパレータ３４、３６は、微妙な変化やノイズに影響されないようにヒステリシスコンパレータを使用する。
【００４１】
第１コンパレータ３４は、直流電流検出部１８の電流値から、昇圧ユニット１４の出力の有無の信号をドライバ３８に入力する。昇圧ユニット１４の出力があれば、昇圧ユニット１４の起動を確認できる。負荷Ｍが軽負荷状態でないのに、昇圧ユニット１４の出力を検出できなければ、昇圧ユニット１４がトリップしたことがわかる。
【００４２】
第２コンパレータ３６は交流電流検出部２０の電流値から、負荷Ｍが昇圧ユニット１４の定格電力を超えたこと、負荷Ｍが軽負荷状態であることの信号をドライバ３８に入力する。
【００４３】
ドライバ３８は、各コンパレータ３４、３６から入力された信号の組み合わせから、切換手段１６に信号を入力して、切換手段１６を切り換える。切換の条件は、（Ａ）回路の初期状態および負荷Ｍが軽負荷状態の場合は、切換手段１６を充電にする。（Ｂ）負荷Ｍが昇圧ユニット１４で出力できる電力を超えれば、放電にする。（Ｃ）切換手段１６を放電にした後、昇圧ユニット１４がトリップし、かつ上記（Ａ）と（Ｂ）に該当しなければ、切換手段１６の充電と放電の切り換えを繰り返す。
【００４４】
次に、図２を用いて負荷Ｍの変化によってどのように切換手段１６の切り換えなどがされるかを説明する。昇圧ユニット１４の定格電力は１ｋＷとする。負荷Ｍの消費電力が０．２５ｋＷ以下になれば、負荷Ｍは軽負荷状態（または停止状態）とする。太陽電池ＳＣ、電気二重層コンデンサＥＤＬＣ、またはその両方によって、昇圧ユニット１４が定格電力の１ｋＷを安定的に出力できる状態にあるとする。
【００４５】
（１）交流電源Ｓから電力変換装置１２を介して負荷Ｍに電力を供給することで、負荷Ｍの消費電力が徐々に上がる。負荷Ｍの消費電力が１ｋＷに満たない状態では、昇圧ユニット１４は起動させない。回路は初期状態であり、切換手段１６は充電である。太陽光発電ユニットで発電された電力は、電気二重層コンデンサＥＤＬＣに充電される。
【００４６】
（２）時間Ｔ１で負荷Ｍの消費電力が１ｋＷ以上になり、昇圧ユニット１４が起動できる状態になる。そのため、切換手段１６を放電に切り換える。太陽電池ＳＣと電気二重層コンデンサＥＤＬＣから昇圧ユニット１４に電力が供給される。昇圧ユニット１４に電力が供給されると、昇圧ユニット１４は昇圧回路の制御用電源が供給されるので、所定の電圧値に昇圧した電力を直流リンク２８に供給し、電力アシストをおこなう。
【００４７】
（３）負荷Ｍの消費電力が徐々に低下し、時間Ｔ２で負荷Ｍの消費電力が１ｋＷより低くなり、昇圧ユニット１４がトリップ（アシスト中断）する。この時昇圧ユニット１４の出力側で検出される直流電流の値が０になるが、負荷Ｍの電力は０．２５ｋｗ以上あれば昇圧ユニット１４は再起動される。しかし、太陽電池ＳＣの出力が負荷Ｍの電力を上回っている状態（Ｔ２からＴ３）では、昇圧ユニット１４を再起動させてもアシストはできないので、制御部２２は、充電と放電の切り換えを繰りかえす。
【００４８】
昇圧ユニット１４がトリップすることで、昇圧ユニット１４の自動復帰用タイマーが起動するが、再起動（初期化）によってタイマーが初期状態に戻り、タイマーが停止する。タイマーが停止しているので、負荷Ｍの消費電力が１ｋＷ以上になり、切換手段１６を放電にして昇圧ユニット１４に電力を供給した場合、昇圧ユニット１４が起動する。
【００４９】
昇圧ユニット１４の再起動は、切換手段１６を充電側にして昇圧ユニット１４の入力をオープンにすることで行う。これは昇圧ユニット１４の入力を切断することで昇圧ユニット１４内の昇圧回路の制御用電源が断たれ、制御回路の動作状態が初期化されるからである。昇圧ユニット１４の入力をオープンにしてすぐには制御用電源のエネルギーはゼロにはならない（電源用平滑コンデンサの残留電荷があるので）が、１０秒程度切換手段１６を充電側にすることで昇圧ユニット１４は初期化される。
【００５０】
（４）時間Ｔ３で、負荷Ｍの消費電力が再び上昇し、１ｋＷ以上になれば、切換手段１６を放電に切り換える。昇圧ユニット１４が起動し、上記（２）と同様に電力アシストされる。上記（３）で昇圧ユニット１４がリセットされているため、トリップしてからタイマーで設定された時間が経過していなくても、昇圧ユニット１４は起動する。
【００５１】
（５）負荷Ｍの消費電力が変化し、時間Ｔ４で１ｋＷより低くなれば、昇圧ユニット１４がトリップする。切換手段１６の放電と充電を何度も切り換えて、昇圧ユニット１４の再起動を繰り返す。上記（４）と同様に、時間Ｔ５で再び負荷Ｍの消費電力が１ｋＷ以上になれば、昇圧ユニット１４が起動し、電力アシストされる。
【００５２】
（６）図２のように時間Ｔ６で負荷Ｍの消費電力が１ｋＷよりも低くなり、再起動を繰り返すが、さらに時間Ｔ７で負荷Ｍが軽負荷状態になると、切換手段１６は充電で固定する。再起動の繰り返しが停止される。
【００５３】
（７）負荷Ｍが軽負荷状態になった後に再び負荷Ｍの消費電力が上昇すると、時間Ｔ８で放電になり、上記（２）の状態になる。
【００５４】
なお、上記説明は昇圧ユニット１４から定格電圧が安定的に出力されている状態を例に説明しているが、昇圧ユニット１４の出力が低下（例えば太陽電池ＳＣの発電出力が雲の影響等で低下した場合）すれば、それに応じて昇圧ユニット１４がトリップする時の負荷Ｍの消費電力も低下する。
【００５５】
以上のように、昇圧ユニット１４がトリップした後にタイマーが起動するが、昇圧ユニット１４を再起動させることで、タイマーもリセットされる。昇圧ユニット１４が初期の状態になり、昇圧ユニット１４がトリップしてからタイマーで指定された時間が過ぎなくても、昇圧ユニット１４を起動させることができる。負荷Ｍの消費電力が昇圧ユニット１４の出力電力よりも高くなったときに、電力アシストすることができ、太陽電池ＳＣで発電された電力の有効利用が可能である。
【００５６】
その他、本発明は、その主旨を逸脱しない範囲で当業者の知識に基づき種々の改良、修正、変更を加えた態様で実施できるものである。
【符号の説明】
【００５７】
１０：太陽光発電利用システム
１２：電力変換装置
１４：昇圧ユニット
１６：切換手段
１８：直流電流検出部
２０：交流電流検出部
２２：制御部
２４：コンバータ
２６：インバータ
２８：直流リンク
３０：増幅部
３２：増幅直流変換部
３４、３６：コンパレータ
３８：ドライバ
Ｓ：交流電源
Ｍ：負荷
ＳＣ：太陽電池
ＥＤＬＣ：電気二重層コンデンサ 
【図１】
2016082703.tif 000003
【図２】
2016082703.tif 000004
【図３】
2016082703.tif 000005
【図４】
2016082703.tif 000006